(57)【特許請求の範囲】
【請求項１】
ドアリーフ（３）と、エンドプレート（４）と、ドアリーフ収容装置（５）とを備えるリフトドア（２）と、
前記リフトドア（２）とドアリンテルとの間に封止効果が生じるように前記ドアリンテルの領域内に設けられたドアリンテル封止装置（２０Ａ，２０Ｂ，２０Ｃ，２０Ｄ）と、
を備えたリフトドア装置（１Ａ，１Ｂ，１Ｃ，１Ｄ）、特にクリーンルームのドア装置であって、
前記ドアリンテル封止装置（２０Ａ，２０Ｂ，２０Ｃ，２０Ｄ）の少なくとも一部分（１０Ｂ，１０Ｃ，１０Ｄ，１０Ｅ，１０Ｆ，１０Ｇ）は、ヒンジ（９，１４）によって旋回可能に保持されており、
前記リフトドア（２）が開いたときに、当該一部分（１０Ｂ，１０Ｃ，１０Ｄ，１０Ｅ，１０Ｆ，１０Ｇ）は、前記エンドプレート（４）の領域内の駆動装置によってドアリーフ平面から旋回可能とされることで、前記エンドプレート（４）は、前記リフトドア（２）の前記開状態で、ほぼ完全にドア開口（Ｏ）領域の外側に配置され、
前記エンドプレートは、少なくとも１つの場所で前記ドアリーフ（３）より大きい肉厚（Ｄ）を有し、前記エンドプレート（４）の少なくとも１つの肩部は、駆動装置として機能することを特徴とするリフトドア装置。
【請求項２】
前記ドアリーフ（３）は、柔軟カーテンとして設計されていることを特徴とする請求項１に記載のリフトドア装置。
【請求項３】
前記ドアリンテル封止装置（２０Ａ，２０Ｃ）は、旋回部分（１０Ｂ，１０Ｅ）と非旋回部分（１０Ａ）とを備え、
前記旋回部分（１０Ｂ，１０Ｅ）は、好ましくはドアリーフ内側（３Ａ）に設けられると共に、前記非旋回部分（１０Ａ）は、好ましくはドアリーフ外側（３Ｂ）に設けられることを特徴とする請求項１又は２に記載のリフトドア装置。
【請求項４】
前記ドアリンテル封止装置（２０Ｂ，２０Ｄ）は、側面から見たときに互いに対向しており、前記ドアリーフ（３）をその間に収容する２つの旋回部分（１０Ｃ，１０Ｄ，１０Ｆ，１０Ｇ）を備えることを特徴とする請求項１又は２に記載のリフトドア装置。
【請求項５】
前記ドアリンテル封止装置（２０Ｃ，２０Ｄ）の前記少なくとも一部分（１０Ｅ，１０Ｆ，１０Ｇ）は、
前記ドアリンテルの領域内に位置する前記ヒンジ（１４）と、
前記ドアリンテルに固定され、前記リフトドア（２）の開状態において前記エンドプレート（４）に寄り掛かる円形管形材（１２）と、
から形成されたことを特徴とする請求項１〜４のいずれか一項に記載のリフトドア装置。
【請求項６】
前記ドアリンテル封止装置（２０Ｃ，２０Ｄ）の前記少なくとも一部分（１０Ｅ，１０Ｆ，１０Ｇ）は、前記円形管形材（１２）の側面にそれぞれ軸方向に取り付けられた２つの可塑性キャップ（１１）をさらに備えることを特徴とする請求項５に記載のリフトドア装置。
【請求項７】
前記可塑性キャップ（１１）は、回転可能に取り付けられた可塑性ローラであることを特徴とする請求項６に記載のリフトドア装置。
【請求項８】
追加の可塑性部品（７）は、前記エンドプレート（４）に配置され、
前記リフトドア（２）が開いたときに、前記可塑性部品（７）は、前記ドアリンテル封止装置（２０Ａ，２０Ｂ，２０Ｃ，２０Ｄ）に当たることを特徴とする請求項１〜７のいずれか一項に記載のリフトドア装置。
【請求項９】
前記リフトドア（２）が開いたときに、前記追加の可塑性部品（７）は、前記ドアリンテル封止装置（２０Ｃ，２０Ｄ）の可塑性キャップ（１１）に当たるように前記エンドプレート（４）に配置されたことを特徴とする請求項６〜８のいずれか一項に記載のリフトドア装置。
【請求項１０】
旋回部分（１０Ｂ，１０Ｅ）と非旋回部分（１０Ａ）とを備えた、請求項１〜９のいずれか一項に記載のリフトドア装置（１Ａ，１Ｃ）用のドアリンテル封止装置（２０Ａ，２０Ｃ）。
【請求項１１】
側面から見たときに、互いに対向してドアリーフ（３）を収容する２つの旋回部分（１０Ｃ，１０Ｄ，１０Ｆ，１０Ｇ）を備える、請求項１〜９のいずれか一項に記載のリフトドア装置（１Ｂ，１Ｄ）用のドアリンテル封止装置（２０Ｂ，２０Ｄ）。
【発明の詳細な説明】
【技術分野】
【０００１】
本発明は、ドアリーフ（door leaf）、エンドプレート(end plate)及びドアリーフ収容装置を有するリフトドア、リフトドアとドアリンテルとの間で封止効果を生むようにドアリンテルの領域内に設けられたドアリンテル封止装置とを含むリフトドア装置に関し、特に、クリーンルームのドア装置に関する。本発明は、更に、請求項１１又は１２に係るドアリンテル封止装置に関する。
【背景技術】
【０００２】
リフトドア装置は、典型的には、工場ホール、倉庫、又は類似の施設などの産業プラントで使用される。更に、リフトドア装置は、同時に実現できる機能により、クリーンルーム用途にも提供される。
【０００３】
例えば、薬学、医用工学とバイオテクノロジー、航空学と宇宙航空学、エレクトロニクス、自動車産業及び精密工学の分野などのクリーンルーム用途の場合、例えば、空気損失を回避するための迅速な開閉と、粒子付着物の容易な除去のためのドアリーフの滑らかな表面構造と、それによる保守の労力がほとんどないことが所望される。更に、構造及び／又は取付けの深さ（即ち、ドアリンテルの高さ）をできるだけ小さく維持しながら、リフトドア装置の高い気密性を達成することが重要である。
【０００４】
気密性に関して、汚染されている可能性のある空気の外部からクリーンルームの内部への流入を防ぐために、クリーンルームを隣接ゾーンに対して過剰圧力で維持することが知られている。しかしながら、クリーンルームと隣接ゾーンとの圧力差にもかかわらず、特に、リフトドア装置のドアリンテル領域を介して漏れが起こり得る。
【０００５】
気密性問題の先行技術の解決手段は、保持部材のばね付勢変形及び／又は封止要素自体の弾性変形を有する密閉装置を何度も提案してきた。これにより、ドアリーフに対する封止要素の永久的な気密接着が達成される。
【０００６】
特許文献１では、窓と扉用のローラシャッター装置が開示されている。ここに示された封止装置は、ドアリンテル領域への入口の隙間に、封止ローラを支持してローラシャッターカーテンに押し付けるばね鋼の支持要素を含む。
【０００７】
特許文献２では、剛毛の弾性による自然な方法でサイズ変化を補償するブラシシールなどを有するドア装置が開示されている。しかしながら、そこに示されたようなドアリンテル領域の入口のスロット内にあるガイドローラは、カーテン横縁の領域内でしか利用できない。
【０００８】
特許文献３では、ローラシャッターケーシング用の封止装置が開示されており、幾つかの実施形態では、封止効果を生むために弾性変形をそれ自体で行なうブラシシール又は封止形材の種類の封止要素が設けられている。別の実施形態では、ローラ封止要素が設けられるが、封止効果は、ばね要素支持体では生じず、重力のみによって達成される。これらのローラ封止要素は、ドアリーフに支えられている。
【０００９】
更に、特許文献４では、気密ブランケットを備えたローラ扉が開示されている。このローラ扉は、ばね要素として設計され、巻き取りの領域内のカーテンに封止的に支えられるようにドアリンテル領域及び／又はドアリーフ収容ケーシング内に取り付けられて、リフトドアが閉じられたときに強い過剰圧力によって支持される封止翼部を有する。
【００１０】
更にまた、ドラッグシール引き出し型の封止（ｄｒａｇｇｉｎｇ  ｓｅａｌ）は、特許文献５によるローラシャッターカーテン上のぶら下がったストリップによって知られるようになった。
【００１１】
最後に、特許文献６では、スラット付きカーテンとして設計されたドアリーフに永久的に支えられるリフトドア用のシールストリップが開示されている。この目的のため、シールストリップは、切欠き及び／又はばね付勢ゾーンのまわりに、ドアリンテルの方に逃げるよう及び／又はそれからはね返るようにばね付勢的に取り付けられる。この手段により、シールストリップは、ドアリンテルからドアリーフのそれぞれの距離に対して、ドアリーフの任意の位置と任意の移動方向で適応でき、その結果、フレームケーシングとドアリーフの距離のばらつきが補償されることが可能になる。これにより、シールストリップが、ドアリーフの外側面に確実に支えられ、隙間が回避される。
【００１２】
ばね弾性を利用したこれらの封止装置は、共通に、引き出し型及び／又は回転型の封止と関係するので、ドアリーフとの永久接触によってその封止効果が生じる。しかしながら、欠点は、ドアリーフに対する引っ掻きと、それによる損傷が起こることである。
【００１３】
特許文献７では多少異なる構成が開示されており、その構成では、カーテンと封止装置との間に一方的な動きの隙間が設けられる。この文献では、ドアカーテン、エンドプレート及びドアリーフ収容装置を含むリフトドアによる防煙分離の形のリフトドア装置と、リフトドアとドアリンテルとの間にある程度の封止効果と、火災の場合に完全な封止効果を生成するようにドアリンテルの領域内に提供されたドアリンテル封止装置とが開示されている。
【００１４】
この既知のドアリンテル封止装置は、固定部品、即ち、ドアリーフを巻取部の方に偏る弾性移動縁と、この移動縁に面した膨張シールとからなる。通常の場合、一方的な動きの隙間は、カーテンとこの膨張シールとの間にできる。火災の場合、このシールには、この隙間を閉じ煙などの移動を防ぐために圧縮空気が供給される。
【００１５】
しかしながら、ドアリーフが、この既知のドアリンテル封止装置の固定部品によって巻取部の方に偏るので、ドアリーフの表面の引っ掻きと、それによりドアリーフの損傷が起こり、この損傷は、外観の悪化とは別に、特に長期的にドアリーフのクリーニングを悪化させる。したがって、この発明の範囲で述べられているように、ドアリンテル封止装置の構成要素間の自由な動きの隙間を提供することは有利であろう。
【００１６】
更に、ドアリンテルの高さをできるだけ小さく維持し、かつ更にドアリーフの滑らかな表面構造を可能にするために、ドアリーフは、多くのリフトドア装置内では、エンドプレートを有する柔軟カーテンとして設計される。このカーテンは、付着した粒子の除去が容易であり、ドアリンテル領域に巻き上げられたときにドアリンテル領域内でほとんど場所をとらない。エンドプレートは、外側から働く力に対してカーテンの必要な安定化を保証する。最大限の気密を達成するため、カーテンがドアリーフ及び／又はカーテン収容ケーシングから出る隙間は、そのようなシステムによってできるだけ狭く維持され、即ち、この動きの隙間は、カーテンが大きな摩損なしに通ることができる幅として選択される。
【００１７】
しかしながら、典型的にはカーテン又はスラット式カーテンより大きい寸法、特に大きい厚さを有するエンドプレートが、リフトドアが完全に開いた位置でドアリンテル及び／又はドアリンテル収容ケーシングの下縁部によって支えられので、ドア開口の最大可能高さが、ドアリンテルに支えられるエンドプレートの高さだけ低くなる。
【００１８】
エンドプレートの突出によるドア開口の利用高さの制限に関する問題は、最新技術では対処されておらず、エンドプレートは特許文献８と特許文献２のみに開示されている。前述の他の先行技術の文献のほとんどは、典型的にはエンドプレートを備えていないローラシャッター装置である。
【００１９】
直近の先行技術である特許文献７もこの点に関して解決策を提供していない。この場合、エンドプレートは、実際には、ドアリンテルの領域内の収容空間に収容される。しかしながら、この収容空間は、実際に、ドアリーフの巻き取りのための実際の収容装置よりも下に位置するので、ドアリンテル高さの低下及び／又はドア開口の利用高さの拡大が起こらない。
【先行技術文献】
【特許文献】
【００２０】
【特許文献１】独国実用新案第９３１４８２３号明細書
【特許文献２】米国特許第５，４４５，２０９号明細書
【特許文献３】独国特許出願公開第３６０３４１７号明細書
【特許文献４】独国特許出願公開第６０２００５０００１８２号明細書
【特許文献５】独国特許出願公開第４３４３３８２号明細書
【特許文献６】独国特許出願公開第３９２１０３６号明細書
【特許文献７】独国特許出願公開第１９９０６６２８号明細書
【特許文献８】独国特許出願公開第１９９０９６２８号明細書
【発明の概要】
【課題を解決するための手段】
【００２１】
したがって、本発明の目的は、汎用のリフトドア装置を、更に、所望の封止効果を維持しながらドア開口高さのほぼ全体の利用を可能にするように開発することである。
【００２２】
この目的は、請求項１の特徴を有するリフトドア装置によって解決される。詳細には、請求項１の特徴は、ドアリンテル封止装置の少なくとも一部分が、ヒンジによって旋回可能に保持され、ドアリーフが開いたときに、該一部分は、エンドプレートの領域内の駆動装置によってドアリーフ平面から旋回可能とされることで、エンドプレートは、リフトドアの開状態で、ほぼ完全にドア開口の領域の外側に配置されることである。
【００２３】
したがって、本発明による、回転継手として働くヒンジのまわりのドアリンテル封止装置の少なくとも一部の旋回機能は、リフトドアが開いたときに、エンドプレートをドアリンテル領域内まで移動できることを初めて可能にする。したがって、ドアリンテル封止装置は、エンドプレートの移動範囲内の障害物ではなくなる。
【００２４】
このように、ドア開口の通路高さ全体を利用できるという利点を有するドア開口の領域から出ることができる。
【００２５】
更に、ドア開口の全高さを必要とする物体がエンドプレートに当たらなくなるので、リフトドアの損傷リスクを減らすことができる。
【００２６】
本発明によるリフトドア装置の有利な更なる発展形は、従属クレーム２〜１０の内容である。
【００２７】
つまり、ドアリーフは、柔軟カーテンとして設計されてもよい。ドアリーフ収容装置に巻き付けられた状態のそのようなカーテンは、スラット式ドアリーフと比較してスペースを殆ど要さない。従って、例えば、ドアリンテル高さを低くして、ドア開口の最大の通路高さを確保する目的を更によく考慮することができる。更に、そのようなカーテンは、その滑らかな表面構造の容易なクリーニングの可能性と、臨床的な光学機器とによって、特にクリーンルーム用途に適する。
【００２８】
更に、エンドプレートは、少なくとも１つの場所でドアリーフより大きい肉厚を有することがあり、エンドプレートの少なくとも１つの肩部が、駆動装置として機能する。したがって、ドアリンテル封止装置の枢動機構を小さな構造的労力で作動させることができる。
【００２９】
一実施形態の変形では、ドアリンテル封止装置は、旋回部分と非旋回部分を備え、旋回部分は、ドアリーフの内側に設けられることが好ましく、非旋回部分は、ドアリーフの外側に設けられることが好ましい。このように、特に単純で、小型で、信頼できるドアリンテル封止装置の構造が達成される。詳細には、そのような設計の場合、僅かな部品を移動するだけでよい。
【００３０】
別の実施形態の変形では、ドアリンテル封止装置は、側面から見たときに、互いに対向しており、ドアリーフをその間に収容する２つの旋回部分を備えることができる。封止部分が略平行な配置なので、ドアリーフを、特に安定した方式で、リフトドア装置内のドアリーフ平面内の規定された軌跡上に保持することができる。したがって、ドアリーフは、外側からドアリーフに作用する外力から更によく保護される。
【００３１】
別の実施形態の変形では、ドアリンテル封止装置の前記少なくとも一部分は、ドアリンテルの領域内に位置するヒンジと、固定されリフトドアの開状態でエンドプレートに寄り掛かる円形管形材とから構成されてもよい。円形管形材を有するそのような設計によって、有利な封止効果を達成することができる。更に、この実施形態の変形は、ドアリーフのガイドの隙間が小さいので、リフトドアの開閉の際の発生摩擦音を小さくすることができる。
【００３２】
更に、円形管形材の側面にそれぞれ軸方向に取り付けられた２つの可塑性キャップが、ドアリンテル封止装置の円形管形材上に配列されてもよく、したがって、エンドプレートがドアリンテル封止装置に当たるときに生じる騒音を減少させることができる。
【００３３】
好ましい実施形態では、可塑性キャップは、回転可能に取り付けられた可塑性ローラとして形成されるので、リフトドアの開閉の際の摩擦音を更に減少させることができる。
【００３４】
更に、追加の可塑性部品は、エンドプレート上に配置されてもよい。前記可塑性部品は、リフトドアを開く際にドアリンテル封止装置に当たる。また、これらの可塑性部品は、リフトドアの開閉の際の大きい騒音生成を抑制し、またリフトドアの摩耗を抑制することができる。
【００３５】
特に好ましい実施形態では、リフトドア装置は、追加の可塑性部品がエンドプレート上に配置され、リフトドアが開いたときに、その可塑性部品は、ドアリンテル封止装置の可塑性キャップ及び／又はローラに当たるように設計される。したがって、リフトドアの開閉の際の摩擦音を更に減少させることができる。更に、ドアリンテル封止装置の作動及び／又は被動の際の摩耗も減少させることができる。
【００３６】
本発明の更に２つの態様によれば、本発明によるリフトドア装置用のそれぞれのドアリンテル封止装置は、請求項１１と請求項１２により提供される。これらのドアリンテル封止装置は、既存のリフトドア装置の後付け部品となるため、この点で別売可能なユニットを構成することができる。
【００３７】
このようにして、本発明によるリフトドア装置によって前述された利点を達成することができる。
【００３８】
本発明は、添付図面に示された実施形態によって以下に詳細に説明される。
【図面の簡単な説明】
【００３９】
【図１ａ】閉状態における本発明に係るリフトドア装置の第１の実施形態の断面図である。
【図１ｂ】開状態における図１ａの本発明に係るリフトドア装置の断面図である。
【図２ａ】閉状態における本発明に係るリフトドア装置の第２の実施形態の断面図である。
【図２ｂ】開状態における本発明に係るリフトドア装置の第２の実施形態の断面図である。
【図３ａ】開状態における本発明に係るリフトドア装置の第３の実施形態の断面図である。
【図３ｂ】閉状態における本発明に係るリフトドア装置の第３の実施形態の断面図である。
【図４ａ】開状態における本発明に係るリフトドア装置の第４の実施形態の断面図である。
【図４ｂ】閉状態における本発明に係るリフトドア装置の第４の実施形態の断面図である。
【図５ａ】本発明におけるリフトドア装置の第３又は第４の実施形態によるドアリンテル封止装置の旋回部分の平面図である。
【図５ｂ】本発明におけるリフトドア装置の第３又は第４の実施形態によるドアリンテル封止装置の旋回部分の側面図である。
【発明を実施するための形態】
【００４０】
図１ａと図１ｂの説明図によれば、リフトドア装置１Ａは、第１の実施形態では、ドアリーフ３、エンドプレート４及びドアリーフ収容装置５を有するリフトドア２、並びにドアリンテル封止装置２０Ａを含む。
【００４１】
ドアリーフ３は、柔軟カーテンのタイプとして設計されている。そのようなカーテンは、特に、滑らかであり、したがって表面構造が掃除し易いので、クリーンルーム用途には好ましい。しかしながら、ドアリーフ３又はカーテンには、それぞれ、外部から働く力に対するある一定の抵抗性を有するため、ここでは剛体として設計され、カーテンの幅全体に沿ってその下側端に延在するエンドプレート４が提供される。リフトドア２の開閉時のエンドプレート４の領域における大きすぎる騒音発生と磨耗を防ぐために、リフトドアの開閉時にドアリンテル封止装置に当たるエンドプレート４の側面に追加の可塑性キャップ７が配置される。
【００４２】
ドアリーフ３とエンドプレート４をガイドするため、対向するガイド又は摺動レールなど（図示せず）が、ドア開口Ｏの両側に配置される。ドアリーフ収容装置５は、巻き付けシャフトとして設計されており、フレームケーシング１５の内部のドアリンテルの領域内で水平方向に延在する。ここでは、これは、リンテル深さＴとリンテル高さＨを規定する。そのような設計は、先行技術で十分に知られている。
【００４３】
図１ａと図１ｂによって更に明らかなように、エンドプレート４は、ドアリーフ３より大きい厚さＤを有する。これは、特に、十分に高い安定性を達成するためのエンドプレート４が、ドアリーフ３の所望の締め付けを確保するのに適切な大きい寸法を有することによる。
【００４４】
更に、図１ａと図１ｂは、ドアリンテル封止装置２０Ａを示す。ドアリンテル封止装置２０Ａは、ドアリンテルの領域内で、フレームケーシング１５の内壁に固定される。ドアリンテル封止装置２０Ａは、実質的に２つの部分、即ち旋回部分１０Ｂと非旋回部分１０Ａとから成る。旋回部分１０Ｂは、ドアリーフ内側３Ａに設けられ、非旋回部分１０Ａは、ドアリーフ外側３Ｂに設けられる。ドアリーフ内側３Ａは、クリーンルームに面した側面を規定し、ドアリーフ外側は、隣接ゾーンに面した側面を規定する。旋回部分１０Ｂと非旋回部分１０Ａは、その間に小さい動きの隙間を形成し、ドアリーフは、自由に、即ち摩擦衝撃なしに動くように適応される。
【００４５】
旋回部分１０Ｂは、隠しヒンジ９のまわりを蝶番式動き、その静止位置で、フレームケーシング１５の内部８Ａに支持され、その結果、重力効果の方向に対して、上方、即ちドア開口から離れる方向にだけ旋回されうる。ヒンジ９の隠し構成は、例えば、巻き上げカーテンから落下する可能性のある汚染からの保護を可能にする。更に、それにより旋回レバーが比較的長くなり、旋回部分１０Ｂの駆動が容易になり、長期の機能性が維持される。ドアリンテル封止装置２０Ａを側面から見たとき、非旋回部分は、旋回部分１０Ｂより高く位置するように配置される。
【００４６】
前に図示したリフトドア装置１Ａにおいて、クリーンルームを過剰圧力にするシステム（図示せず）が作動した場合、ドアリーフ３が、自由な動きの隙間内で横方向にずらされ、このプロセスで、摺動レール（図示せず）に押し付けられ、ドアリンテルの領域内でドアリンテル封止装置２０Ａの非旋回部分１０Ａに押し付けられて、クリーンルームが隣接ゾーンから密閉される。図１ａに、リフトドア装置の閉状態を示す。ドアリンテルの領域は、フレームケーシング１５によって規定される。
【００４７】
しかしながら、図１ｂは、リフトドア２が完全に開位置にあるリフトドア装置１Ａの動作状態を示す。駆動装置として働くエンドプレート４の肩部が、リフトドア２の上昇中に、ドアリンテル封止装置２０Ａの旋回部分１０Ｂに作用し、その結果、旋回部分１０Ｂが、ドアリーフ平面から遠ざかり、ドアリンテルの方向、即ち、重力の方向と反対に旋回されることが分かる。リフトドア２の開状態で、ドアリンテル封止装置２０Ａの旋回部分１０Ｂは、エンドプレート４の側壁に支えられる。したがって、エンドプレート４と実質的にリフトドア全体を、リンテル高さＨを規定するフレームケーシング１５内までに移動させることができる。更に図１ｂから分かるように、リフトドア２の開状態でも、ドアリンテルの領域には、フレームケーシング１５内のほこり粒子などの侵入を防ぐ封止効果がある。
【００４８】
この点で、ドアリンテル封止装置２０Ａの旋回部分１０Ｂは、この目的のために存在する自由な動きの隙間により、ドアリーフ３によってではなく、エンドプレート４の輪郭の作用によってのみ動かされかつ／又は旋回されることに注意されたい。したがって、カーテン面の引っ掻き及び／又は摩耗が確実に防止される。ドアリーフ３を閉じた際、ドアリンテル封止装置２０Ａの旋回部分１０Ｂは、重力によってその静止位置に自動的に旋回して戻り、再びドアリーフ３のための所定の動きの隙間が形成される。
【００４９】
図２ａと図２ｂは、第２の実施形態としてリフトドア装置１Ｂを示す。説明の冗長部分を回避するため、以下では、第１の実施形態と異なる特徴だけを詳細に説明する。
【００５０】
特に、ここでは、ドアリンテル封止装置２０Ｂの２つの旋回部分１０Ｃ、１０Ｄが、向かい合い、ドアリーフのための自由な動きの隙間を形成し、ドアリーフ３を間に収容するように提供されていることが分かる。２つの旋回部分１０Ｃ、１０Ｄは、図２ａと図２ｂに示されたように、前述の旋回部分１０Ｂと同じ設計を有し、また鏡式に向かい合っている。
【００５１】
図１ａと図１ｂに示された実施形態と比較して、図２ａと図２ｂによるリフトドア装置１Ｂは、実際には、より大きいリンテル深さＴ’を有する。一方、旋回部分１０Ｃ、１０Ｄが、この場合、等しい高さに配置され、その間にドアリーフ３をより安全でうまく導くように収容するので、ドアリーフ３は、２つの旋回部分１０Ｃ、１０Ｄの間により有利に位置する。エンドプレート４をフレームケーシング１５内に収容するために、２つの旋回部分１０Ｃ、１０Ｄはそれぞれ、重力と逆でかつドア開口から離れる方向に、連動ヒンジ９の周りを旋回運動する。
【００５２】
図３ａと図３ｂは、第３の実施形態によるリフトドア装置１Ｃを示し、ドアリンテル封止装置２０Ｃの旋回部分１０Ｅは、実質的に、ドアリンテルの領域内に位置するヒンジ１４と、それに取り付けられリフトドア２の閉状態でドアリーフ３に支えられた円形管形材１２とからなる。より正確には、ヒンジ１４は、一方の側がフレームケーシング１５の内側に固定され、ヒンジ１４の反対側は、端側に固定され、重力によりエンドプレート４又はフレームケーシング１５の内側部分８Ｂに支えられる円形管形材１２によって旋回可能である。
【００５３】
例えば、回転可能な円形管として設計された管形材１２に加えて、可塑性ローラとして設計されかつ軸受シャフト１３によって管形材１２の両側に軸方向にそれぞれ取り付けられた２つの可塑性キャップ１１が設けられる。これらの可塑性キャップ１１は、少なくともエンドプレート４の可塑性キャップ７の幅で利用できかつリフトドア２の開閉の際にそこに当たるように寸法決めされる。
【００５４】
エンドプレート４を収容するため、管形材１２は、重力と逆でかつドア開口から離れる方向にヒンジ１４のまわりを旋回する。
【００５５】
図４ａと図４ｂに示されたリフトドア装置１Ｄは、図２ａと図２ｂに示されたリフトドア装置１Ｂが、前記図１ａと図１ｂに示されたリフトドア装置１Ａと異なるように、図３ａと図３ｂに示されたリフトドア装置１Ｃと異なる。即ち、ドアリンテル封止装置２０Ｄの２つの旋回部分１０Ｆ、１０Ｇが、向かい合い、ドアリーフの自由な動きの隙間を形成し、ドアリーフ３をその間に収容するように適合されている。２つの旋回部分１０Ｆ、１０Ｇは、前述の旋回部分１０Ｅと同じ設計を有し、図４ａと図４ｂに示されたように、鏡式に対面している。
【００５６】
フレームケーシング１５内にエンドプレート４を収容するため、２つの旋回部分１０Ｆ、１０Ｇがそれぞれ、重力と逆でかつドア開口から離れる方向に連動ヒンジ１４のまわりを旋回運動する。
【００５７】
説明した実施形態に加えて、本発明は、更に他の設計手法を可能にする。
【００５８】
説明された柔軟カーテンの代替として、ドアリーフ３は、例えば、組み合わせドアリーフ等のようなスラット式カーテンとして設計されてもよい。この場合、巻き付けシャフトの代わりに、ドアリーフの無接触巻き付けを可能にするドアリーフ収容装置として、例えば螺旋状ガイドが使用されてもよい。
【００５９】
更に他の代替実施形態では、ドアリーフ３が、柔軟カーテンによって構成されないが、例えばより大きくかつ／又はより厚い寸法を有するスラット式部分によって構成され、エンドプレートの厚さＤは、ドアリーフ３の厚さと等しいかそれより小さくてもよい。したがって、旋回部分１０Ｂなどの旋回は、必ずしもエンドプレート４によって開始されなくてもよい。又は、エンドプレート４に直接作用する代わりに、エンドプレート４に加えて、好ましくはその近くに提供された駆動装置によって行なわれてもよい。したがって、ドアリンテル封止装置２０Ａ及び／又は２０Ｂの旋回部分１０Ｂなどは、例えば、他の係合要素、電気的に制御された装置又は磁気機構などの代替駆動装置によって、被動によって受動的又は適切な制御機構によって能動的に旋回されてもよい。
【００６０】
エンドプレート４の形状は、図に示された形状に制限されない。典型的には押出形材であるエンドプレート４の断面は、必要に応じて、例えば、円形、楕円形、半円形、矩形、三角形、対称又は非対称形材によって交換しうる。更に、エンドプレート４は、ドアの安全のための安全ストリップ（図示せず）を含んでもよい。
【００６１】
同一及び／又は対称的な構成要素として図に示された旋回部分１０Ｂ，１０Ｃ，１０Ｄは、用途による必要に応じて、互いに異なる形状を有してもよく、また旋回部分自体とエンドプレート４及び／又は駆動装置との間の係合及び／又は相互作用機能の種類に応じて、適切な設計を有してもよい。
【００６２】
図３ａ〜図５ｂに示された可塑性キャップ１１は、前述の実施形態には制限されず、様々な（可塑性）材料組成の多角形や楕円形などのキャップなどの代替実施形態が考えられる。これと同じことは、代替として多角形や楕円形などの形材として設計されてもよい円形管形材１２にも当てはまる。
【００６３】
特にクリーンルームで使用するための前述のリフトドア装置は、当該用途に制限されず、他の施設、建物などの間仕切りの役割をしてもよいことを理解されたい。この点で、防火の分野での使用は、特に、煙、火災ガスなどの通過を効率的に防ぐために可能である。
【００６４】
更に、ドアリンテル封止装置２０Ａ，２０Ｂ，２０Ｃ，２０Ｄは、所望の封止効果を達成するだけでなく、ドア開口Ｏの利用可能高さを完全に使用可能にするために、既存のリフトドア２に後付けされてもよい。
【符号の説明】
【００６５】
１Ａ：ドア装置
２：リフトドア
２０Ａ：ドアリンテル封止装置
３：ドアリーフ
４：エンドプレート
５：ドアリーフ収容装置
Ｏ：ドア開口
【図１ａ】
0005926450.tif 000002
【図１ｂ】
0005926450.tif 000003
【図２ａ】
0005926450.tif 000004
【図２ｂ】
0005926450.tif 000005
【図３ａ】
0005926450.tif 000006
【図３ｂ】
0005926450.tif 000007
【図４ａ】
0005926450.tif 000008
【図４ｂ】
0005926450.tif 000009
【図５ａ】
0005926450.tif 000010
【図５ｂ】
0005926450.tif 000011